(57)【要約】【課題】  手摺本体がずれ落ちる恐れがなく容易に仮固定することができるとともに、強度的に優れた手摺取付具を提供する。【解決手段】  壁面Ｗに固定する壁面固定部材１０と、手摺本体３０に固定する手摺固定部材２０と、を結合してなる手摺取付具１であって、壁面固定部材１０は、壁面Ｗに当接して固定する壁面当接部１１と、手摺本体３０及び手摺固定部材２０を下方から支持する支持部１２と、該支持部１２から上方に立設された立設部１３と、を有し、手摺固定部材２０は、手摺本体２０の下部に当接して固定する手摺当接部２１と、該手摺当接部２１から壁面Ｗ側に延設された上部２２と、該上部２２から下方に垂設されるとともに前記立設部と当接し得るように配置された垂設部２３と、を有すること、を特徴とする。【選択図】  図２
2018028189.tif 000002
【特許請求の範囲】
【請求項１】
壁面に固定する壁面固定部材と、手摺本体に固定する手摺固定部材と、を結合してなる手摺取付具であって、
前記壁面固定部材は、壁面に当接して固定する壁面固定部と、前記手摺本体及び前記手摺固定部材を下方から支持する支持部と、該支持部から上方に立設された立設部と、を有し、
前記手摺固定部材は、手摺本体下部に当接して固定する手摺当接部と、該手摺当接部から壁面側に延設された上部と、該上部から下方に垂設されるとともに前記立設部と当接し得るように配置された垂設部と、を有すること、を特徴とする手摺取付具。
【請求項２】
立設部は、該立設部から手摺当接部側に突出して形成された突設部を有し、前記突設部は、壁面固定部材と手摺固定部材とが結合された状態において、前記突設部と前記手摺当接部とが当接することを特徴とする請求項１記載の手摺取付具。
【請求項３】
立設部は、壁面当接部のねじ孔の高さ以下までの高さに立設することを特徴とする請求項１又は２のいずれか一項に記載の手摺取付具。
【請求項４】
垂設部は、手摺当接部のねじ孔に対向する位置に開孔部を有することを特徴とする請求項１記載の手摺取付具。
【請求項５】
手摺固定部材の手摺当接部は固定ねじを挿入し得るねじ孔を有し、壁面固定部材の支持部は前記固定ねじを挿入し得るねじ孔を有し、前記手摺当接部のねじ孔と前記支持部のねじ孔とを連通するように重ね合わせて、前記固定ねじを挿入して手摺本体下部にねじ込んで前記手摺固定部材と前記壁面固定部材と前記手摺本体下部とを固定することを特徴とする請求項１記載の手摺取付具。
【請求項６】
手摺固定部材は上部の周囲から下方に垂設された内側部を有し、壁面固定部材は支持部の周囲から上方に立設された外側部を有し、前記内側部は、前記外側部の内側に収容し得るように外側部の幅に比べて幅を狭くして配設されるとともに、手摺当接部のねじ孔を手摺本体の長手方向に長い長孔に形成することを特徴とする請求項１又は５のいずれか一項に記載の手摺取付具。
【発明の詳細な説明】
【技術分野】
【０００１】
本発明は、壁面に手摺を取付けるための手摺取付具に関する。
【背景技術】
【０００２】
従来、手摺本体に当接して固定する手摺側固定部材と、壁面に当接して固定する壁面側固定部材と、を別体として形成し、手摺本体と手摺側固定部材とを、又、壁面と壁面側固定部材とを、それぞれ固着具で固定した後、手摺側固定部材を壁面側固定部材に側方から挿入して仮固定することで取付位置を調整可能にするとともに、壁面側固定部材内に固着具を内包することで意匠的に優れたものとすることを意図した手摺取付具が提案されている（例えば特許文献１参照）。
【先行技術文献】
【特許文献】
【０００３】
【特許文献１】実用新案登録第３０７０８３０号公報
【発明の概要】
【発明が解決しようとする課題】
【０００４】
しかしながら、上述した手摺取付具は、壁面側固定部材に手摺側固定部材を挿入した後、壁面側固定部材の下方よりねじで固定して手摺側固定部材を取付ける取付構造であるため、下方よりねじで固定していない仮固定の状態において手摺本体とそれを固定した手摺側固定部材が取り付け時に壁面側固定部材から外れてずれ落ちる恐れがあり、また、本固定時においては手摺本体側にかかる荷重に対してねじで支えなければならないため強度が不足する恐れがあった。
【０００５】
したがって、手摺本体がずれ落ちる恐れがなく容易に仮固定することができるとともに、強度的に優れた手摺取付具を提供することを目的とする。
【課題を解決するための手段】
【０００６】
本発明は、上記課題に鑑み、壁面に固定する壁面固定部材と、手摺本体に固定する手摺固定部材と、を結合してなる手摺取付具であって、前記壁面固定部材は、壁面に当接して固定する壁面当接部と、前記手摺本体及び前記手摺固定部材を下方から支持する支持部と、該支持部から上方に立設された立設部と、を有し、前記手摺固定部材は、手摺本体下部に当接して固定する手摺当接部と、該手摺当接部から壁面側に延設された上部と、該上部から下方に垂設されるとともに前記立設部と当接し得るように配置された垂設部と、を有すること、を特徴とする。
【０００７】
また、上述した構成に加え、立設部は、該立設部から手摺当接部側に突出して形成された突設部を有し、前記突設部は、壁面固定部材と手摺固定部材とが結合された状態において、前記突設部と前記手摺当接部とが当接することが好ましい。
【０００８】
また、上述した構成に加え、立設部は、手摺当接部のねじ孔に対向する位置に開孔部を有することが好ましい。
【０００９】
また、上述した構成に加え、手摺固定部材の手摺当接部は固定ねじを挿入し得るねじ孔を有し、壁面固定部材の支持部は前記固定ねじを挿入し得るねじ孔を有し、前記手摺当接部のねじ孔と前記支持部のねじ孔とを連通するように重ね合わせて、前記固定ねじを挿入して手摺本体下部にねじ込んで前記手摺固定部材と前記壁面固定部材と前記手摺本体下部とを固定することが好ましい。
【００１０】
また、上述した構成に加え、手摺固定部材は上部の周囲から下方に垂設された内側部を有し、壁面固定部材は支持部の周囲から上方に立設された外側部を有し、前記内側部は、前記外側部の内側に収容し得るように外側部の幅に比べて幅を狭くして配設されるとともに、手摺当接部のねじ孔を手摺本体の長手方向に長い長孔に形成することが好ましい。
【発明の効果】
【００１１】
請求項１記載の発明によれば、壁面固定部材で支持するとともに立設部と垂設部とを当接させることで、手摺本体及び手摺固定部材とがずり落ちることなく仮固定することができ、本固定時においても手摺本体に掛かる荷重に対しても手摺取付具の強度を向上させることが可能である。  
【００１２】
請求項２記載の発明によれば、立設部から突出して形成され、手摺当接部と当接し得る突設部を有することによって、手摺本体から手摺当接部周辺に掛かる荷重に対して突設部で支持することができ、より手摺取付具の強度を向上させることが可能である。
【００１３】
請求項３記載の発明によれば、立設部によって壁面当接部のねじ孔に固定ねじの挿入することを妨げることがなく、容易に壁面固定部材を壁面に固定することが可能である。
【００１４】
請求項４記載の発明によれば、垂設部によって手摺当接部のねじ孔に固定ねじの挿入することを妨げることがなく、容易に手摺固定部材を手摺本体に固定することが可能である。
【００１５】
請求項５記載の発明によれば、手摺本体に掛かる荷重を壁面固定部材及び手摺固定部材とで分散して支持することができ、より手摺取付具の強度を向上させることが可能である。
【００１６】
請求項６記載の発明によれば、手摺固定部材の内側部を壁面固定部材の外側部内で手摺固定部材を手摺本体の長手方向に移動させるとともに、手摺当接部の長孔のねじ孔で支持部のねじ孔の適切な位置に重ね合わせることができ、複数個の手摺取付具を用いて手摺本体を壁面に取付ける手摺取付施工時において、壁面固定部材と手摺固定部材との取付間隔により生じるずれを吸収して容易に手摺本体を取付けることが可能である。
【図面の簡単な説明】
【００１７】
【図１】本発明の実施形態に係る手摺取付具の一例を示す斜視図である。
【図２】図１の手摺取付具の内部構造を示すＡ−Ａ線断面図である。
【図３】壁面固定部材と壁面の固定方法を示す(a)分解斜視図、(b)Ｂ−Ｂ線断面図である。
【図４】手摺固定部材と手摺本体の固定方法を示す(a)分解斜視図、(b)Ｃ−Ｃ線断面図である。
【図５】壁面固定部材と手摺固定部材と手摺本体とを固定ねじで共締めして結合する方法を示す分解斜視図である。
【発明を実施するための形態】
【００１８】
本発明の実施形態について図面に基づいて詳細に説明する。
【００１９】
（実施形態）
本発明の手摺取付具１は、図１に示すように、壁面Ｗに当接して固定する壁面固定部材１０と、略角柱体の手摺本体３０下部に当接して固定する手摺固定部材２０と、を主要部として形成されるものである。
【００２０】
この壁面固定部材１０は、図２及び図３に示すように、壁面Ｗに固定するために壁面Ｗに当接した後、壁面Ｗにねじ込む固定ねじ４ａ、４ａ挿入用のねじ孔１１ａ、１１ａを有する壁面当接部１１と、手摺本体３０及び後述する手摺固定部材２０を下方より支持し、下方より固定ねじ４ｃ、４ｃを挿入した後、手摺本体３０にねじ込んで固定するためのねじ孔１２ａ、１２ａを有する支持部１２と、壁面当接部１１とねじ孔１２ａ、１２ａとの間に位置し、支持部１２に対して略垂直上方に立設された立設部１３と、この立設部１３及び固定ねじ４ｂ、４ｂを覆い隠すために支持部１２の周囲から立設された外側部１４、１４と、を備えるものである。
【００２１】
また、この立設部１３は、固定ねじ４ａ、４ａの挿入を妨げないようにねじ孔１１ａ、１１ａの高さ以下まで上方に立設させるとともに、この立設部１３から手摺本体側面３１方向に突出し、手摺当接部２１の裏面側に当接するように形成された突設部１３ａ、１３ａを有することが好ましい。
【００２２】
次に、手摺固定部材２０を図２及び図４に基づいて説明する。この手摺固定部材２０は、手摺本体３０の下部である手摺本体側面３１と手摺本体下面３２の両方に当接する手摺当接部２１と、固定ねじ４ｂ、４ｂ、固定ねじ４ｃ、４ｃ挿入後の手摺本体側面３１及び手摺本体下面３２にねじ込んで固定するためのねじ孔２１ａ、２１ａ、ねじ孔２１ｂ、２１ｂと、を有する。また、手摺当接部２１から壁面Ｗ側に延設された上部２２と、この上部２２の中央付近より下方に垂設された垂設部２３と、垂設部２３を補強するとともに、手摺固定部材２０を壁面固定部材１０に載置して仮固定する際のガイドとするために上部２２の周囲から下方に垂設された内側部２４、２４を有することが好ましい。
【００２３】
また、垂設部２３は、上述した壁面固定部材１０に設けられた立設部１３の壁面Ｗ側の面に当接し得るように設けられ、さらに、開孔部２３ａを設けることで手摺当接部２１のねじ孔２１ａへの固定ねじ４ｂ、４ｂの挿入を妨げないようにする。
【００２４】
また、手摺固定部材２０は、複数個の手摺取付具１を用いて手摺本体３０を壁面Ｗに取付ける手摺取付施工時において、壁面固定部材１０と手摺固定部材２０との取付間隔により生じるずれを吸収するために、手摺本体３０の壁面取付時において、内側部２４、２４と壁面固定部材１０の外側部１４、１４との間に若干の隙間を有して外側部１４、１４内に収容し得るように内側部２４、２４の幅を狭くして配設するとともに、手摺本体下面３２と対向するねじ孔２１ｂ、２１ｂを手摺本体３０の長手方向に長い長孔に形成することが好ましい。
【００２５】
また、固定ねじ４ａ、４ａ、及び、固定ねじ４ｂ、４ｂを挿入するねじ孔１１ａ、１１ａ、及び、ねじ孔２１ａ、２１ａ近傍には、壁面Ｗ及び手摺取付具１を所望の位置に固定するための基準を示す墨出しを行うための墨出し穴を設けておくことが好ましく、本実施形態においては、壁面当接部１１に３つ、手摺当接部２１に１つのひし形状の墨出し穴５ｂ、５ａを設けている。
【００２６】
なお、本実施形態における手摺当接部２１は、角柱体の手摺本体３０の下部に当接するために断面略Ｌ字状に形成されているが、手摺本体３０の形状に合わせて手摺本体側面３１から手摺本体下面３２にかけて当接し得るものであればよく、例えば手摺本体３０が断面略円柱体であれば、手摺当接部２１を湾曲状としてもよい（図示しない）。また、立設部１３及び垂設部２３は垂直以外の任意の角度で設けてもよい。
【００２７】
次に、上述した手摺取付具１による手摺本体３０の取付方法について、図３、４、５に基づいて詳細に説明する。
【００２８】
(S1)まず、予め壁面当接部１１の墨出し穴５ｂと手摺当接部２１の墨出し穴５ａを用いて取付位置を示し、壁面固定部材１０の壁面当接部１１を壁面Ｗに当接させた状態で、固定ねじ４ａ、４ａをねじ孔１１ａ、１１ａを介して壁面Ｗにねじ込んで壁面固定部材１０を壁面Ｗに固定する（図３参照）。
【００２９】
(S2)次に、予め手摺当接部２１の墨出し穴５ａを用いて手摺当接部２１の取付位置に対応するように手摺本体３０の位置を定め、手摺固定部材２０の手摺当接部２１を手摺本体側面３１に当接した状態で、固定ねじ４ｂ、４ｂをねじ孔２１ａ、２１ａを介して手摺本体側面３１にねじ込んで固定する(図４参照)。
【００３０】
(S3)そして、手摺固定部材２０の位置を手摺本体３０の長手方向に移動させることで壁面固定部材１０と手摺固定部材２０との取付間隔により生じるずれを吸収しながら、この手摺固定部材２０を壁面Ｗに固定されている壁面固定部材１０の支持部１２上に載置して仮固定する。このとき、手摺固定部材２０の垂設部２３と壁面固定部材１０の立設部１３の壁面Ｗ側の面、及び、突設部１３ａ、１３ａと手摺当接部２１の裏面、を当接させる。この仮固定の状態において、手摺当接部２１のねじ孔２１ｂ、２１ｂ及び支持部１２のねじ孔１２ａ、１２ａに固定ねじ４ｃ、４ｃを挿入し、手摺本体下面３１にねじ込んで共締めして本固定する（図５参照）。  
【００３１】
したがって、上述した手摺取付具１によって、壁面固定部材１０と手摺固定部材２０を結合していない状態において、手摺固定部材２０及び手摺本体３０が壁面固定部材１０の支持部１２上で載置させることが可能である。また、立設部１３に当接する垂設部２３を有することによって、手摺固定部材２０及び手摺本体３０がずり落ちることなく仮固定することができるとともに、本固定時においても手摺本体３０に掛かる荷重に対して強度を向上させることが可能である。  
【００３２】
また、壁面固定部材１０の外側部１４、１４を設けておくことで、固定ねじ４ａ、４ａ、固定ねじ４ｂ、４ｂのねじ頭、立設部１３、及び、垂設部２３を外側から見えなくすることができ、手摺取付具１を意匠的に優れたものとすることが可能である。
【００３３】
また、突設部１３ａと手摺当接部２１の裏面とを当接させることで、手摺固定部材２０の強度を補強することが可能である。
【００３４】
また、手摺当接部２１を手摺本体下面３２によって下方から支持する支持部１２を有するとともに、手摺当接部２１のねじ孔２１ｂ、２１ｂ及び支持部１２のねじ孔１２ａ、１２ａを介して、固定ねじ４ｃ、４ｃをねじ込んで固定することで、手摺本体３０に掛かる荷重を壁面固定部材１０及び手摺固定部材２０に分散することができ、より手摺取付具１の強度を向上させることが可能である。  
【００３５】
また、手摺固定部材２０を壁面固定部材１０内で手摺本体３０の長手方向に移動させるとともに、支持部１２のねじ孔１２ａ、１２ａと手摺当接部２１の長孔に形成されたねじ孔２１ｂ、２１ｂとが重なり合うように配置することで、複数個の手摺取付具１を用いて手摺本体３０を壁面Ｗに取付ける手摺取付施工時において、壁面固定部材１０と手摺固定部材２０との取付間隔により生じるずれを吸収して容易に取付けること可能であり、ねじ孔１２ａ、１２ａを長孔にする必要がなく、固定ねじ４ｃ、４ｃとのねじ孔１２ａ、１２ａとの隙間が生じないため手摺取付具１の見栄えがよくなり意匠的に優れたものとすることが可能である。
【符号の説明】
【００３６】
1…手摺取付具、10…壁面固定部材、11…壁面当接部、12…支持部、12ａ…ねじ孔、13…立設部、13a…突設部、14…外側部、20…手摺固定部材、21…手摺当接部、21a、21b…ねじ孔、22…上部、23…垂設部、23a…開孔部、24…内側部、30…手摺本体、31…手摺本体側面、32…手摺本体下面、４a、４b、４c…固定ねじ、W…壁面、5a、5b…墨出し穴
【図１】
2018028189.tif 000003
【図２】
2018028189.tif 000004
【図３】
2018028189.tif 000005
【図４】
2018028189.tif 000006
【図５】
2018028189.tif 000007